(57)【特許請求の範囲】
【請求項１】
可撓性を有するシート状の画像表示手段と、
前記画像表示手段の上に設けられ、押圧操作を検出するタッチパネルシートと、
側面の内の一面が開放され、この開放された側面に連なるように上面に長方形状の切り欠きを有する略直方体の本体部と、この本体部と同様に、側面の内の一面が開放され、この開放された側面に連なるように上面に長方形状の切り欠きを有する略直方体に形成されるとともに、前記本体部よりもわずかに小さく形成され、前記切り欠き同士が向き合うように前記本体部に組み込まれる可動部とからなり、前記本体部の切り欠きと、これと向き合う前記可動部の切り欠きとによって、前記画像表示手段及び前記タッチパネルシートを露出させる開口を上面に形成し、前記可動部を前記本体部に収納した収縮位置と、前記可動部を前記上面と平行な方向に突出させた伸長位置とに移動させることにより、前記開口の面積を増減させて画面サイズを変更するとともに、前記開口から露出されない前記画像表示手段及び前記タッチパネルシートを曲げて収納する筐体と、
前記可動部に設けられ、前記画像表示手段を背面側から支持する第１受け部材と、
前記本体部に設けられ、前記第１受け部材とともに前記画像表示手段を背面側から支持する第２受け部材と、
前記第２受け部材に設けられ、前記画像表示手段と平行、かつ前記可動部が移動する方向に対して直交する方向に突出した突起部材と、
この突起部材と嵌合するように前記筐体に設けられ、前記可動部が前記伸長位置に移動した際に、前記画像表示手段に対して略垂直な方向に前記第２受け部材を移動させることにより、前記第１受け部材と前記第２受け部材とを面一にするガイド溝とを備えたことを特徴とする画像表示装置。
【請求項２】
前記画面サイズは、前記伸長位置にあるときに前記画像表示手段の画像表示が可能な領域の面積とほぼ一致し、前記収縮位置にあるときに前記領域の面積のほぼ半分であることを特徴とする請求項１記載の画像表示装置。
【請求項３】
前記本体部は、外周に沿って前記本体部の内部に前記画像表示手段を折り返す主ローラと、この主ローラとともに前記画像表示手段を挟持する副ローラとによって、前記画像表示手段の一端を保持し、
これと対向する他端を保持した前記可動部が、前記伸長位置と前記収縮位置との間で移動することに応じて、前記主ローラに巻きかけられた前記画像表示手段を引き出し又は押し込むことを特徴とする請求項１又は２記載の画像表示装置。
【請求項４】
前記画像表示手段の前記主ローラに巻きかけられる側の端部に、可撓性を有するガイド用シート部材を備えたことを特徴とする請求項３記載の画像表示装置。
【請求項５】
前記第２受け部材は、前記第１受け部材の背面側に位置し、前記可動部が前記収縮位置にあるときには、前記第１受け部材が、前記画像表示手段と前記第２受け部材との間に入り込むことを特徴とする請求項１から４のいずれか１項に記載の画像表示装置。
【請求項６】
前記収縮位置であるか否かを検出する検出手段を備えたことを特徴とする請求項１から５のいずれか１項に記載の画像表示装置。
【請求項７】
前記検出手段が前記収縮位置であることを検出している間は、前記画像表示手段の画像表示が可能な領域のほぼ半分にのみデジタル画像を表示させる制御回路を設けたことを特徴とする請求項６記載の画像表示装置。
【請求項８】
前記制御回路は、前記検出手段が前記収縮位置ではないことを検出している間は、前記領域の全面にデジタル画像を表示させることを特徴とする請求項７記載の画像表示装置。
【請求項９】
前記制御回路は、前記検出手段の検出結果が変化したことに応答して、前記領域に表示しているデジタル画像を、所定の角度回転させることを特徴とする請求項７又は８記載の画像表示装置。
【請求項１０】
前記所定の角度は、９０°であることを特徴とする請求項９記載の画像表示装置。
【請求項１１】
複数のデジタル画像を記憶可能なメモリを有し、
前記制御回路は、前記可動部が前記収縮位置にある状態で、前記画像表示手段の前記開口から露呈される部分に、前記メモリに記憶された所定のデジタル画像を表示させるとともに、前記可動部が前記収縮位置から前記伸長位置に移動して前記画像表示手段が引き出され、前記画面サイズが拡大されたことに応じて、前記画像表示手段の引き出された側の部分に、表示中のデジタル画像に続いて前記メモリに記憶された次のデジタル画像を表示させることを特徴とする請求項７から１０のいずれか１項に記載の画像表示装置。
【請求項１２】
前記制御回路は、前記検出手段が前記収縮位置ではないことを検出したことに応答して、前記次のデジタル画像の表示を行うことを特徴とする請求項１１記載の画像表示装置。
【発明の詳細な説明】
【技術分野】
【０００１】
本発明は、任意の数のデジタル画像を表示する電子アルバム式の画像表示装置、及びその画像表示制御方法に関するものである。
【背景技術】
【０００２】
【特許文献１】特開平１１−３２７７２１号公報
【特許文献２】特開２０００−２５３２２８号公報
【特許文献３】特開２００１−１００８６４号公報
【特許文献４】特開２００２−１５７２７５号公報
【０００３】
近年、パーソナルコンピュータ（以下、ＰＣと称す）の普及にともなって、デジタル画像を取得するデジタルスチルカメラなどの撮像装置が、フィルムを使用する従来の銀塩カメラに置き換わる方向になりつつある。
【０００４】
銀塩カメラでフィルムに撮影された画像は写真にプリントして、アルバムにしておくことで誰でも簡易に閲覧することができた。一方、デジタル画像の閲覧には一般にＰＣが用いられており、デジタル画像を閲覧するという機能に特化して考えたときに、必ずしも携帯性や操作性に優れているとはいえない。そこで、上記特許文献１〜４によって、デジタル画像を閲覧する機能に特化され、誰でも簡易にデジタル画像を閲覧することができる電子アルバムなる画像表示装置が提案されている。
【０００５】
上記特許文献１及び２で開示される電子アルバムは、１つの画面にデジタル画像を表示するため、画面サイズを大きくすると携帯性が損なわれるという問題があった。このため、特許文献３及び４では、２つの画面を左右見開き状に設け、これを折りたたむことによって画面サイズの拡大と携帯性との両立を図っている。
【発明の開示】
【発明が解決しようとする課題】
【０００６】
しかしながら、画面サイズを広げることはできるものの、２つの画面をヒンジで接合した構成であることから、１つのデジタル画像を拡大して表示させるためには、特許文献１及び２と同様に装置全体を大きくする必要があった。
【０００７】
本発明は、上記課題を鑑みてなされたものであって、１つのデジタル画像を拡大して表示する場合にも、携帯性の損なわれない画像表示装置、及びその画像表示制御方法を提供することを目的とする。
【課題を解決するための手段】
【０００８】
上記課題を解決するため、本発明の画像表示装置は、可撓性を有するシート状の画像表示手段と、前記画像表示手段の上に設けられ、押圧操作を検出するタッチパネルシートと、側面の内の一面が開放され、この開放された側面に連なるように上面に長方形状の切り欠きを有する略直方体の本体部と、この本体部と同様に、側面の内の一面が開放され、この開放された側面に連なるように上面に長方形状の切り欠きを有する略直方体に形成されるとともに、前記本体部よりもわずかに小さく形成され、前記切り欠き同士が向き合うように前記本体部に組み込まれる可動部とからなり、前記本体部の切り欠きと、これと向き合う前記可動部の切り欠きとによって、前記画像表示手段及び前記タッチパネルシートを露出させる開口を上面に形成し、前記可動部を前記本体部に収納した収縮位置と、前記可動部を前記上面と平行な方向に突出させた伸長位置とに移動させることにより、前記開口の面積を増減させて画面サイズを変更するとともに、前記開口から露出されない前記画像表示手段及び前記タッチパネルシートを曲げて収納する筐体と、前記可動部に設けられ、前記画像表示手段を背面側から支持する第１受け部材と、前記本体部に設けられ、前記第１受け部材とともに前記画像表示手段を背面側から支持する第２受け部材と、前記第２受け部材に設けられ、前記画像表示手段と平行、かつ前記可動部が移動する方向に対して直交する方向に突出した突起部材と、この突起部材と嵌合するように前記筐体に設けられ、前記可動部が前記伸長位置に移動した際に、前記画像表示手段に対して略垂直な方向に前記第２受け部材を移動させることにより、前記第１受け部材と前記第２受け部材とを面一にするガイド溝とを備えたことを特徴とする。
【０００９】
前記画面サイズは、前記伸長位置にあるときに前記画像表示手段の画像表示が可能な領域の面積とほぼ一致し、前記収縮位置にあるときに前記領域の面積のほぼ半分であることが好ましい。
【００１０】
前記本体部は、外周に沿って前記本体部の内部に前記画像表示手段を折り返す主ローラと、この主ローラとともに前記画像表示手段を挟持する副ローラとによって、前記画像表示手段の一端を保持し、これと対向する他端を保持した前記可動部が、前記伸長位置と前記収縮位置との間で移動することに応じて、前記主ローラに巻きかけられた前記画像表示手段を引き出し又は押し込むことが好ましい。
【００１１】
前記画像表示手段の前記主ローラに巻きかけられる側の端部に、可撓性を有するガイド用シート部材を設けると、より好適である。
【００１２】
前記第２受け部材は、前記第１受け部材の背面側に位置し、前記可動部が前記収縮位置にあるときには、前記第１受け部材が、前記画像表示手段と前記第２受け部材との間に入り込むことが好ましい。
【００１３】
前記収縮位置であるか否かを検出する検出手段を設けると、より好適である。
【００１４】
前記検出手段が前記収縮位置であることを検出している間は、前記画像表示手段の画像表示が可能な領域のほぼ半分にのみデジタル画像を表示させる制御回路を設けると、より好適である。
【００１５】
前記制御回路は、前記検出手段が前記収縮位置ではないことを検出している間は、前記領域の全面にデジタル画像を表示させることが好ましい。
【００１６】
前記制御回路は、前記検出手段の検出結果が変化したことに応答して、前記領域に表示しているデジタル画像を、所定の角度回転させることが好ましい。
【００１７】
前記所定の角度は、９０°であることが好ましい。
【００１８】
複数のデジタル画像を記憶可能なメモリを有し、前記制御回路は、前記可動部が前記収縮位置にある状態で、前記画像表示手段の前記開口から露呈される部分に、前記メモリに記憶された所定のデジタル画像を表示させるとともに、前記可動部が前記収縮位置から前記伸長位置に移動して前記画像表示手段が引き出され、前記画面サイズが拡大されたことに応じて、前記画像表示手段の引き出された側の部分に、表示中のデジタル画像に続いて前記メモリに記憶された次のデジタル画像を表示させることが好ましい。
【００１９】
前記制御回路は、前記検出手段が前記収縮位置ではないことを検出したことに応答して、前記次のデジタル画像の表示を行うことが好ましい。
【発明の効果】
【００２２】
本発明の電子アルバムによれば、可撓性を有するシート状の画像表示手段と、上面に画像表示手段を露出させる開口を有し、一部が上面と平行な方向に突出した伸長位置と、収納された収縮位置とで移動することにより、開口の面積を増減させて画面サイズを変更するとともに、前記開口から露出されない前記画像表示手段を曲げて収納する筐体とを備えたことで、例えば、可撓性を有するシート状の画像表示手段をローラなどで折り返して筐体の中に収納しておき、筐体が伸長位置に移動する際に、内部で折り返された画像表示手段を引き出しながら開口に露出させれば、伸長位置と収縮位置とで移動することにより変化する開口の面積に対応し、かつ接合部などで途切れることのない連続した画面を形成することができるので、１つのデジタル画像を拡大して表示する場合にも、携帯性が損なわれることはない。
【００２３】
また、本発明の画像表示制御方法によれば、可撓性を有するシート状の画像表示手段と、上面に画像表示手段を露出させる開口を有し、一部が上面と平行な方向に突出して開口の面積と画像表示手段の画像表示が可能な領域の面積とをほぼ一致させる伸長位置と、収納されて開口の面積を画像表示が可能な領域の面積のほぼ半分にする収縮位置との間で移動するとともに、前記開口から露出されない前記画像表示手段を曲げて収納する略直方体の筐体と、収縮位置であるか否かを検出する検出手段とを備え、検出手段が、収縮位置であることを検出している間は、開口から露出するほぼ半分の領域のみにデジタル画像を表示することにより、例えば、開口から表示されない領域にデジタル画像を表示する余計な消費電力を抑えることができる。
【発明を実施するための最良の形態】
【００２４】
［第１実施形態］
図１は、本発明を適用した電子アルバム（画像表示装置）の外観を概略的に示す斜視図である。電子アルバム１０は、可撓性を有するシート状の液晶パネル（画像表示手段）１２と、上面にこの液晶パネル１２を露出させる開口１４ａを有し、一部が矢線Ａ１方向に突出した伸長位置と、収納された収縮位置とで移動することにより、開口１４ａの面積を増減させて画面サイズを変更する筐体１４とから構成される。液晶パネル１２は、例えば、特開２００３−２９５１６４号公報などによって知られるものであり、複数のデジタル画像を表示したり、選択されたデジタル画像を拡大して表示する。
【００２５】
図２は、筐体１４の構成を概略的に示す分解斜視図である。筐体１４は、側面１６ａが開放され、この側面１６ａに連なるように上面１６ｂに切り欠き１６ｃを有する略直方体の本体部１６と、この本体部１６とほぼ同様の形状をなし、上面１８ａに切り欠き１８ｂが設けられた可動部１８とを有する。可動部１８は、本体部１６よりもわずかに小さく形成されており、切り欠き１６ｃと切り欠き１８ｂとが向き合うように本体部１６に組み込まれて、本体部１６に全て収納された収縮位置（図１に示す位置）と、一部が本体部１６の外部に突出した伸長位置との間で移動する。なお、可動部１８には、伸長位置に達した際に移動を規制する係止爪（図示は省略）が設けられ、伸長位置以上に引き出されないことが好ましい。また、伸長位置と収縮位置との間の移動は、手動で行うようにしてもよいし、モータやギアなどからなる移動機構を設けて、自動で行うようにしてもよい。
【００２６】
前述の開口１４ａは、これら対向して設けられた切り欠き１６ｃと切り欠き１８ｂとによって形成されるものであり、開口１４ａの面積は、可動部１８が伸長位置にあるときに液晶パネル１２の画像表示が可能な領域の面積とほぼ一致し、可動部１８が収縮位置にあるときに液晶パネル１２の画像表示が可能な領域の面積のほぼ半分となる。すなわち、可動部１８が収縮位置から伸長位置に移動することによって、電子アルバム１０の画面サイズは、約２倍となる。
【００２７】
図１及び図２に示すように、本体部１６の上面１６ｂには、液晶パネル１２に表示されたデジタル画像を、電子アルバム１０が記憶する順番に送っていく送りボタン３０と、この送りボタン３０とは反対の方向にデジタル画像を戻していく戻しボタン３２とが設けられている。なお、電子アルバム１０が記憶する順番は、古い順でもよいし、新しい順でもよい。
【００２８】
また、可動部１８の上面１８ａには、収縮位置にあって本体部１６に収納された際に、切り欠き１６ｃの開放された一辺を塞いで上面１６ｂと面一になる操作パネル２０が取り付けられている。この操作パネル２０には、動画の音声、音声メモ、ＢＧＭ、及び各種の動作音や警告音などを発するスピーカー４０と、押圧操作によってデジタル画像の表示方法など種々の設定メニューを液晶パネル１２に表示させるメニューボタン４２と、電子アルバム１０の電源のＯＮ／ＯＦＦを切り替える電源スイッチ４４とが設けられている。
【００２９】
収縮位置にあるときに本体部１６の開放された側面１６ａ塞ぐ可動部１８の側面１８ｃには、記録メディア２００に嵌合し、これとデータ通信を行うためのメディアソケット４６と、バッテリー２１０と嵌合し、電子アルバム１０に電力を供給するためのバッテリーソケット４８とが設けられている。記録メディア２００は、デジタルスチルカメラなどで撮像したデジタル画像を電子アルバム１０に取り込むためのもので、例えば、コンパクトフラッシュ（Ｒ）やスマートメディア、ＳＤカードなどの公知のものを適用すればよい。なお、液晶パネル１２に表示されるデジタル画像は、静止画でも動画でもよく、動画を表示する場合には、スピーカー４０から音声を出力する。
【００３０】
また、可動部１８の側面１８ｄには、ＰＣなどの外部機器と接続するための外部入出力端子５０が設けられている。外部入出力端子５０は、例えば、ＵＳＢやＩＥＥＥ１３９４、ＲＳ−２３２Ｃなど公知の通信規格に準ずるものでもよいし、外部機器との通信とバッテリー２１０の充電とを同時に行う専用の置き台、いわゆるクレードルに接続するものでもよい。なお、本体部１６には、切り欠き１６ｄが形成されており、可動部１８が収縮位置にあっても外部入出力端子５０に接続できるようにされている。
【００３１】
図３は、電子アルバム１０の内部構成を概略的に示す断面図である。なお、図３（ａ）は可動部１８が収縮位置にあるときを示し、図３（ｂ）は可動部１８が伸長位置にあるときを示すものである。
【００３２】
液晶パネル１２は、可動部１８に設けられた第１受け部材６０と、本体部１６に設けられた第２受け部材６２とによって背面側から支持されている。第２受け部材６２は、第１受け部材６０のさらに背面側に位置し、可動部１８が収縮位置にあるときには、第１受け部材６０が、液晶パネル１２と第２受け部材６２との間に入り込むことによって、可動部１８が伸長位置と収縮位置との間で移動することを許容する。また、液晶パネル１２は、直下に設けられた第１受け部材６０に貼着されている。
【００３３】
本体部１６の内部には、外周に沿って液晶パネル１２を折り返す主ローラ６４と、この主ローラ６４とともに液晶パネル１２を挟持する副ローラ６６、及び６８と、折り返された液晶パネル１２を受けるガイド板７０とが設けられている。副ローラ６６、及び６８は、液晶パネル１２を挟持するとともに、折り返す方向を規制する（主ローラ６４に沿わせる）ためのものであり、本実施形態においては２つの副ローラ６６、及び６８を設けたが、その数は１つ以下でも３つ以上でもよく、必要に応じて適切な数を配すればよい。
【００３４】
液晶パネル１２の表面には、押圧操作を検出するタッチパネルシート７２が貼着されており、例えば、複数表示されたデジタル画像の中から１つのデジタル画像を選択するときや、メニューボタン４２の操作によって液晶パネル１２に表示されたメニューを選択する際に、指や専用のタッチペンで表面を押圧することにで、その位置を検出することができる。なお、送りボタン３０、戻しボタン３２、及びメニューボタン４２は、例えば、液晶パネル１２に各操作ボタンに対応するアイコンを表示し、タッチパネルシート７２によって各操作ボタンの機能を実現させるようにしてもよい。
【００３５】
可動部１８が伸長位置にあるときに、液晶パネル１２がガイド板７０から抜け出てしまうと、可動部１８が再び収縮位置に戻る際に、液晶パネル１２の収納が困難になる。また、可動部１８が伸長位置にあるときにも液晶パネル１２がガイド板７０から抜け出ない長さとすると、画像表示の必要がない部分も含まれることとなり、コストの面からみて好ましくない。そのため、液晶パネル１２の主ローラ６４に巻きかけられる側の端部には、可撓性を有するガイド用シート部材７４が取り付けられており、図３（ｂ）に示すように、可動部１８が伸長位置にあるときには、このガイド用シート部材７４が主ローラ６４によって折り返され、第２受け部材６２とガイド板７０との間に入り込んでいる。また、ガイド用シート部材７４の液晶パネル１２が取り付けられる反対側の端部に、可動部１８が伸長位置にあるときにガイド用シート部材７４と、これに連なる液晶パネル１２とを筐体１４内に引き込むように付勢する適度な強さのバネ部材（図示は省略）を設け、可動部１８が伸長位置から収縮位置に移動する際に、このバネ部材が引き出された液晶パネル１２を引き込むようにしてもよい。
【００３６】
可動部１８の内部には、電子アルバム１０全体の動作を管制する制御回路７６が設けられている。この制御回路７６には、可動部１８が収縮位置にあるか否かを検出する検出手段としてのリミットスイッチ７８と、液晶パネル１２とタッチパネルシート７２とを制御回路７６に接続するためのコネクタ８０とが接続されている。リミットスイッチ７８は、操作部７８ａを押圧することによってＯＮ／ＯＦＦが切り替わるものであり、図３（ａ）に示すように、可動部１８が収縮位置にあるときに、ガイド板７０の端部がこの操作部７８ａを押圧するように配置されている。制御回路７６は、リミットスイッチ７８のＯＮ／ＯＦＦをモニタし、可動部１８が収縮位置にあるか否かを識別する。なお、検出手段はリミットスイッチ７８に限らず、例えば、ホトインタラプタなどの光学センサや磁気センサ、及びその他の機械式スイッチなど、可動部１８が収縮位置にあるか否かを検出できるものであれば、いずれのスイッチもしくはセンサを適用してもよい。
【００３７】
また、液晶パネル１２とタッチパネルシート７２は、配線８２とコネクタ８０とを介して制御回路７６に接続され、それぞれ液晶パネル１２に対応したコネクタ８０ａ、配線８２ａ、及びタッチパネルシート７２に対応したコネクタ８０ｂ、配線８２ｂとを有する。なお、コネクタ８０と配線８２は、公知のコネクタ、及び配線材料を各種適用することができる。
【００３８】
図４は、制御回路７６と、これに接続される各部の構成を概略的に示すブロック図である。制御回路７６は、予め書き込まれたプログラムに従って電子アルバム１０の各部を制御するマイコン１００と、音声とデジタル画像に関する各種の処理をマイコン１００に代わって実行する信号処理ＤＳＰ１０２と、記録メディア２００又は外部入出力端子５０から入力されたデジタル画像を保存する内部メモリ１０４と、予め保存された音声ファイルをアナログ信号に変換してスピーカー４０に出力するＤ／Ａ変換器１０６と、液晶パネル１２を駆動する液晶パネルドライバ回路１０８と、タッチパネルシート７２の押圧位置を検出するタッチパネルコントロール回路１１０と、外部入出力端子５０を介してＰＣなどの外部機器とデータ通信を行う外部入出力インタフェース回路（以下、外部入出力Ｉ／Ｆ回路と称す）１１２と、バッテリーソケット４８を介してバッテリー２１０から供給される電圧を、電子アルバム１０が必要とする電圧に昇圧又は降圧し、電子アルバム１０の各部に供給する電源ユニット１１４とから構成される。
【００３９】
送りボタン３０、戻しボタン３２、及びメニューボタン４２の各操作ボタンはマイコン１００に接続されており、例えば、各操作ボタンが操作されたことをマイコン１００が検出したことに応じてソフトウェアに割り込みをかけることによって、内部メモリ１０４が記憶する順番にデジタル画像が送られたり、メニューリストが表示されたりする。また、電源スイッチ４４は、バッテリーソケット４８から電源ユニット１１４に接続される電源ラインのうち陽極側もしくは負極側のいずれか一方に挿入されており、電源スイッチ４４のＯＮ／ＯＦＦを切り替えることによって、電子アルバム１０全体の電源がＯＮ／ＯＦＦされる。この場合、電源スイッチ４４をＯＦＦ側にするとマイコン１００に供給される電源も落とされてしまう。システム上これが好ましくない場合には、電源スイッチ４４をマイコン１００に接続し、電源スイッチ４４のＯＮ／ＯＦＦの切り替わりをマイコン１００が検出して、例えば、液晶パネル１２など不要な箇所の電源を落とすようにしてもよい。
【００４０】
次に、上記構成による電子アルバム１０の動作について説明する。電源スイッチ４４がＯＮ側にされて電子アルバム１０に電源が投入されると、先ずマイコン１００が内部メモリ１０４にデジタル画像が保存されているか否かを確認する。内部メモリ１０４にデジタル画像が保存されている場合には、信号処理ＤＳＰ１０２と液晶パネルドライバ回路１０８とを介して液晶パネル１２に表示される。デジタル画像は、内部メモリ１０４が記憶する順番に表示され、送りボタン３０を操作することにより、次に記憶されているデジタル画像が表示される。また、戻しボタン３２を操作することにより、送りボタン３０とは逆の方向にデジタル画像を送ることができる。なお、メニューボタン４２の操作で表示されるメニューリストからの設定や、送りボタン３０の長押しなど特定の操作を行うことで、所定の間隔をあけて自動的に表示されるデジタル画像を送るようにしてもよい。また、内部メモリ１０４が記憶する順番は、古い順でもよいし、新しい順でもよい。
【００４１】
内部メモリ１０４にデジタル画像が保存されていない場合、もしくは新しいデジタル画像を取り込む場合には、メディアソケット４６に挿入される記録メディア２００、又は外部入出力端子５０に接続されるＰＣなどの外部機器からデジタル画像を取り込む。この際、取り込んだデジタル画像が、例えば、ＪＰＥＧなどの画像形式で圧縮されている場合には、信号処理ＤＳＰ１０２が伸長した後、内部メモリ１０４に保存する。なお、内部メモリ１０４に保存せずに、外部入出力端子５０に接続されるＰＣ、デジタルスチルカメラ、デジタルビデオカメラ、カーナビゲーションシステムなどの外部機器に保存されているデジタル画像を、直接表示するようにしてもよい。
【００４２】
なお、上記のデジタル画像の表示とともに、ＢＧＭをスピーカー４０から出力するようにしてもよい。この際、マイコン１００は、内部メモリ１０４などに保存された音声ファイルを信号処理ＤＳＰ１０２で再生し、Ｄ／Ａ変換器１０６を介してスピーカー４０に出力する。また、表示するデジタル画像が動画で、音声の再生が必要な場合などには、ＢＧＭを一時的に停止したり、音量を下げるように制御することが好ましい。さらに、種類、動画再生時の優先度など、ＢＧＭに関する各種の設定も、メニューボタン４２の操作で表示されるメニューリストなどで設定できることが好ましい。
【００４３】
図５（ａ）は、可動部１８が収縮位置にある液晶パネル１２にデジタル画像Ｐ１、Ｐ２を表示した状態を示すものである。この状態から可動部１８を伸長位置に移動させると、可動部１８に設けられた第１受け部材６０が主ローラ６４によって筐体１４の内部に折り返されていた液晶パネル１２を引き出し、図５（ｂ）に示すように画面サイズが約２倍に拡大される。この引き出された側の液晶パネル１２に、デジタル画像Ｐ２に続いて内部メモリ１０４に記憶されたデジタル画像Ｐ３、Ｐ４を表示する。これにより、内部メモリ１０４に記憶されたデジタル画像の順番をユーザに認識させ易くすることができる。
【００４４】
また、可動部１８が収縮位置にあるときに筐体１４の内部に表示されるデジタル画像Ｐ３、Ｐ４を消しておくことで、不要な消費電力を抑えることができる。また、リミットスイッチ７８が収縮位置ではないことを検出したことに応答してデジタル画像Ｐ３、Ｐ４を表示すれば、このデジタル画像Ｐ３、Ｐ４は、可動部１８が収縮位置から伸長位置に移動する間に表示されるので、ユーザには連続してデジタル画像が表示されたように見せることができる。但し、上記の制御方法を採用することによって大幅なコスト増が懸念される場合などには、リミットスイッチ７８を無くし、常に液晶パネル１２の全面にデジタル画像を表示しておくようにしてもよい。
【００４５】
液晶パネル１２に表示されたデジタル画像を送りボタン３０で送る場合、図６（ａ）に示すように送りボタン３０の１回の操作で１つのデジタル画像を送るようにしてもよいし、図６（ｂ）に示すように略半面分のデジタル画像を送るようにしてもよいし、図６（ｃ）に示すように全面分のデジタル画像を送るようにしてもよい。これらの設定は、メニューボタン４２を操作することによって表示されるメニューリストに項目を作成しておき、ユーザが任意に設定できることが好ましい。なお、戻しボタン３２の操作によってデジタル画像を送る場合も同様である。また、本実施形態においては、液晶パネル１２の略半面に２つのデジタル画像を表示しているが、表示するデジタル画像の数はこれに限らず１つでもよいし、２つ以上でもよい。
【００４６】
上述のように、液晶パネル１２に複数のデジタル画像が表示された状態（以下、通常表示モードと称す）でタッチパネルシート７２を押圧し、特定のデジタル画像を１つ選択すると、その選択されたデジタル画像を図７に示すように収縮位置と伸長位置とのそれぞれの画面サイズの全体に表示する拡大表示モードに移行する。
【００４７】
この拡大表示モードでは、リミットスイッチ７８の検出結果に応じて画面サイズを判断し、表示するデジタル画像のサイズと画面サイズとを対比して表示するデジタル画像が最も大きくなる方向に回転させるとともに、それぞれの画面サイズの全体に表示する。例えば、図７（ａ）では、収縮位置に対応した画面サイズの全体に長方形状のデジタル画像Ｐ９を表示している。この状態から可動部１８を伸長位置に移動させた場合、デジタル画像Ｐ９が同じ向きのままでは、画面サイズが拡張されたのに反してデジタル画像Ｐ９をこれ以上拡大することができない。そのため、図７（ｂ）に示すようにデジタル画像Ｐ９を９０°回転させることにより、画面サイズの拡張にともなってデジタル画像Ｐ９をさらに拡大して表示することができる。このようにデジタル画像を回転させることで、それぞれの画面サイズを有効に活用することができる。なお、拡大表示されたデジタル画像を押圧することで、拡大表示モードから通常表示モードに戻る。また、これらのようにタッチパネルシート７２が押圧操作された場合には、例えば、スピーカー４０から操作音を発するなどして、タッチパネルシート７２が押圧操作されたことをユーザに報知することが好ましい。
【００４８】
［第２実施形態］
上記第１実施形態では図３に示すように、液晶パネル１２と第２受け部材６２との間には、可動部１８が収縮位置に移動する際に第１受け部材６０を収納するための隙間が形成されている。このため可動部１８が伸長位置にあるときには、例えば、指やタッチペンなどでタッチパネルシート７２を押圧した際に、液晶パネル１２やタッチパネルシート７２に折れなどが生じることによる損傷や、第１受け部材６０との境目に引っかかることによる操作性の劣化などの不具合が懸念される。そこで本実施形態では図８に示すように、第２受け部材１２２に液晶パネル１２と平行、かつ可動部１８が移動する方向に対して直交する方向に突出した突起部材１２４を備え、この突起部材１２４と嵌合し、液晶パネル１２に対して略垂直な方向に第２受け部材１２２を移動させるガイド溝１２６を筐体１４に備えた。
【００４９】
また、ガイド溝１２６は、可動部１８の側面に形成された第１ガイド溝１２６ａと、本体部１６の側面に形成された第２ガイド溝１２６ｂとからなり、突起部材１２４は、第１ガイド溝１２６ａに嵌合する第１突起部材１２４ａと、第２ガイド溝１２６ｂに嵌合する第２突起部材１２６ｂとを有する。
【００５０】
上記構成とした本実施形態の電子アルバム１０では、可動部１８を図８（ａ）に示す収縮位置から伸長位置に移動させることにより、第２受け部材１２２が、第１ガイド溝１２６ａと第２ガイド溝１２６ｂとに沿って液晶パネル１２側に移動し、図８（ｂ）に示すように可動部１８が伸長位置にあるときには第１受け部材１２０と第２受け部材１２２とが面一となり、液晶パネル１２とタッチパネルシート７２の損傷や、タッチパネルシート７２の操作性の劣化などの不具合を防止することができる。
【産業上の利用可能性】
【００５１】
上記実施形態では、画像表示装置として電子アルバムを例に説明したが、例えば、ＰＤＡのディスプレイや、デジタルスチルカメラのビューファインダなど、その他の画像表示装置に本発明を適用してもよい。
【００５２】
また、画像表示手段として液晶パネルを用いているが、画像表示手段はこれに限らず、例えば、有機ＥＬや無機ＥＬなど可撓性を有するものであれば、その他の画像表示手段を適用してもよい。
【００５３】
また、上記実施形態では、画像表示手段をローラに沿わせて折り返す構成としているが、画像表示手段をローラに巻きつける構成としてもよい。
【図面の簡単な説明】
【００５４】
【図１】画像表示装置の外観を概略的に示す斜視図である。
【図２】筐体の構成を概略的に示す分解斜視図である。
【図３】画像表示装置の内部構成を概略的に示す断面図である。
【図４】画像表示装置の制御回路と、これに接続される各部の構成を概略的に示すブロック図である。
【図５】デジタル画像を表示する様子を示した説明図である。
【図６】送りボタンを操作してデジタル画像を送る際の様子を示す説明図である。
【図７】拡大表示モードのときの様子を示す説明図である。
【図８】受け部材の平面化を図った実施形態を概略的に説明する断面図である。
【符号の説明】
【００５５】
１０  電子アルバム（画像表示装置）
１２  液晶パネル（画像表示手段）
１４  筐体
１４ａ  開口
１６  本体部
１６ｃ  切り欠き
１８  可動部
１８ｂ  切り欠き
６０  第１受け部材
６２  第２受け部材
６４  主ローラ
６６、６８  副ローラ
７２  タッチパネルシート
７４  ガイド用シート部材
７８  リミットスイッチ（検出手段）
１２４  突起部材
１２６  ガイド溝
【図１】
0004713845.tif 000002
【図２】
0004713845.tif 000003
【図３】
0004713845.tif 000004
【図４】
0004713845.tif 000005
【図５】
0004713845.tif 000006
【図６】
0004713845.tif 000007
【図７】
0004713845.tif 000008
【図８】
0004713845.tif 000009